(57)【特許請求の範囲】
【請求項１】
白粉、パウダーファンデーション等の粉状化粧料（１００）を収容する化粧料収容部（３１）の上部に化粧料取出し蓋（３）を設け必要量を取出せるようにした粉状化粧料容器において、
前記化粧料収容部（３１）に補給する補給用化粧料（１１０）を収納すると共に側部に化粧料供給口（７５）を設けたリフィール容器（１１）と、
該リフィール容器（１１）を収納するリフィール容器収納部（５１）と、
該リフィール容器収納部（５１）と前記化粧料収容部（３１）との間を分離すると共に中央下部を開口し、前記リフィール容器（１１）の側部から化粧料収容部（３１）内に補給用化粧料（１１０）を導入する導入口（１３）を有する第１の仕切り壁（７１）とを有し、
化粧料取出し蓋（３）を粉状化粧料容器（１）より外すことなく化粧料収容部（３１）に補給用化粧料（１１０）を補給可能にしたことを特徴とする粉状化粧料容器。
【請求項２】
白粉、パウダーファンデーション等の粉状化粧料（１００）を収容する化粧料収容部（３１）の上部に化粧料取出し蓋（３）を設け必要量を取出せるようにした粉状化粧料容器において、
前記化粧料収容部（３１）に補給する補給用化粧料（１１０）を収納すると共に上方から該補給用化粧料（１１０）を充填する上開口部（５７）を設けた粉補給部（５３）と、
該粉補給部（５３）の上開口部（５７）を閉蓋する閉止蓋（５５）と、
粉補給部（５３）と前記化粧料収容部（３１）との間を分離すると共に中央下部を開口し、前記粉補給部（５３）の側面から化粧料収容部（３１）内に補給用化粧料（１１０）を導入する導入口（１３）を有する第２の仕切り壁（７３）とを有し、
化粧料取出し蓋（３）を粉状化粧料容器（１）より外すことなく化粧料収容部（３１）に補給用化粧料（１１０）を補給可能にしたことを特徴とする粉状化粧料容器。
【請求項３】
前記化粧料取出し蓋（３）を化粧料収容部（３１）の上縁部（３３）と略平行に設け、化粧料収容部（３１）の導入口（１３）近傍を除く底部（３５）を浅く形成した浅底部（３７）とし、化粧料取出し蓋（３）の小さな変形でも化粧料収容部（３１）内の粉状化粧料（１００）を取り出し可能にしたことを特徴とする請求項１、請求項２いずれかの項記載の粉状化粧料容器。
【請求項４】
前記化粧料収容部（３１）の底部（３５）を化粧料収容部（３１）の上縁部（３３）と略平行に設け、化粧料収容部（３１）の導入口（１３）側に対向する側が低くなるよう化粧料取出し蓋（３）を傾斜させ、化粧料取出し蓋（３）の小さな変形でも化粧料収容部（３１）内の粉状化粧料（１００）を取り出し可能にしたことを特徴とする請求項１、請求項２いずれかの項記載の粉状化粧料容器。
【請求項５】
前記第１の仕切り壁（７１）若しくは第２の仕切り壁（７３）に前記導入口（１３）を開閉するスライドシャッター（７７）を設けたことを特徴とする請求項１、請求項２いずれかの項記載の粉状化粧料容器。
【発明の詳細な説明】
【技術分野】
【０００１】
本発明は白粉、パウダーファンデーションなどの粉状化粧料を収容する容器で化粧料収容部、化粧料取出し蓋を容器本体より外すことなく粉状化粧料の補給を可能にした粉状化粧料容器に関する。
【背景技術】
【０００２】
従来白粉、パウダーファンデーションなどの粉状化粧料をパウダーパフに移し取って使用するコンパクト容器等が知られている。これらコンパクト容器はシート状の網体または多孔体からなる化粧料取出し蓋にパウダーパフを載置してコンパクト容器を傾けるあるいはコンパクト容器内の粉状化粧料に押圧するなどして使用していた。そこで粉状化粧料が残り少なくなった場合、シート状の網体または多孔体からなる化粧料取出し蓋を化粧料収容部より一旦外し粉状化粧料を充填し続けて使用するか廃棄し再購入されていた。
【０００３】
続けて使用する場合、シート状の網体または多孔体からなる化粧料取出し蓋に付着する粉状化粧料は充填の際周囲に飛散して汚すことは勿論取外しの際に手指を汚していた。また周囲に飛散しないように細心の注意を払いながら粉状化粧料を充填しなければならなかった。
【０００４】
また、コンパクト容器の粉状化粧料をシート状の網体または多孔体からなる化粧料取出し蓋を介して取り出そうとする場合、化粧料取出し蓋が剛体で構成されていると大きな変形は形成できない。そのため僅か深い化粧料収容部でも粉状化粧料を充分に取り出せなくなり、高価な化粧料を充分に使用できない場合があった。
【０００５】
粉状化粧料の補給時に周囲を汚すといった問題を解決する手段として化粧料収納部となる容器本体の底部より粉状化粧料を充填する化粧料容器例が特許文献１に記載されている。また特許文献１は開口面に粉末化粧料が通過可能な複数の小孔を分布穿設する伸縮シートを被覆し化粧料収容部内の底部や隅部に残る粉状化粧料を有効に取り出せる化粧料容器を提案している。
【０００６】
また粉状化粧料を有効に取り出す手段として化粧料取出し蓋を深い化粧料収容部内に落し込む構造にし、化粧料を最後まで均一に使用することができるようにする化粧料容器として特許文献２が提案されている。
【０００７】
【特許文献１】特開平０８−１３１２４９号公報
【特許文献２】特開平０９−２３４１１１号公報
【０００８】
特許文献１は容器本体と複数の小孔が分布穿設された伸縮シートを備え、容器本体の上面に化粧料収納部を形成し粉末化粧料を充填した状態で伸縮シートを被覆する化粧料容器に関するものである。また化粧料収納部となる容器本体の底部に貫通穴を設けた化粧料容器に関するもので、化粧料容器内の粉状化粧料が漏出しないように上下逆さまにして貫通穴から粉状化粧料を充填する。貫通穴は蓋材で閉蓋されて粉状化粧料の後方漏出は防止される。この貫通穴は小さく開口されているため充填時に粉状化粧料が貫通穴を介して飛散する量を少なくする内容も記載されている。
【０００９】
特許文献２は脱落自在に懸垂固定された落し蓋型の化粧料取出し蓋を備えた化粧料コンパクトで、使用時に落し蓋の型化粧料取出し蓋を化粧料表面に落し込むことにより深い化粧料収容部でも粉状化粧料を取り出せ、高価な化粧料を無駄なく利用できるようにする。そうしてコンパクト容器の中皿内に収容した粉末化粧料の表面に網皿を常に平らに接しさせ、パフへの粉末化粧料の付着量が一定となるようにし、化粧料を最後まで均一に使用することができるようにする。
【発明の開示】
【発明が解決しようとする課題】
【００１０】
しかし、化粧料容器に粉状化粧料を充填する操作で特許文献１では化粧料容器を上下反転する操作が必要になる。化粧料容器を上下反転するには粉状化粧料が漏出しないように化粧料収納部の開口面に張られたシートが化粧料容器内に残存する粉状化粧料の自重で押し広げられることのないよう硬質の平板あるいはフィルムで上面を密着して遮断する特別な必要がある。
【００１１】
他方メッシュや複数の小孔を穿設するシートを被覆するリフィール容器を粉状化粧料容器の容器本体に直接装着し、粉状化粧料に触れることなく交換しようとする場合、メッシュや複数の小孔を穿設するシートの被覆でリフィール容器を高価にする。
【００１２】
また、化粧料容器に充填される粉状化粧料を無駄なく有効にしようとするため特許文献１では化粧料収納部の開口面に張られたシートを伸縮性シートとし、化粧料収容部が深くとも化粧料収容部内の下方や隅に残る粉状化粧料を含め取り出せるようにしている。
しかし伸縮する繊維やシリコンゴムなどの弾性体は経年変化が大きく、パウダーパフを上面に載置収納したまま長期に亘って緩みのない状態を維持することは困難でありへたった弾性体は粉状化粧料の漏出原因となる。
【００１３】
特許文献２では化粧料収容部が深くとも化粧料取出し蓋を化粧料収容部内に落し込む構造とすることで少ない伸縮でも粉状化粧料を充分に取り出せるようにする。しかし、落し込みに係る摺動部は滑らかな摺動が求められるため傾斜防止も必修用件であり構造も複雑になり高価になるばかりか粉状化粧料の漏出原因となる隙間を皆無にできない。
【００１４】
本発明はこのような問題点に鑑みてなされたもので、その目的とするところは化粧料取出し蓋に触れずに粉状化粧料の充填を可能にし、手指、周辺を汚すことなく粉状化粧料容器に粉状化粧料を充填できるようにすることにある。また化粧料収容部が深くとも化粧料収容部内の粉状化粧料を無駄なく有効に使用できるようにすることにある。さらには容器本体にリフィール容器収納部または粉補給部を設け、リフィール容器収納部に収納されるリフィール容器あるいは粉補給部に粉状化粧料を充填するための補充用具の外観、構造の簡素化を可能にし、総合的に安価な粉状化粧料を提供することにある。
【課題を解決するための手段】
【００１５】
本発明粉状化粧料容器は、上記目的を達成するため粉状化粧料１００をアプリケータ等に取出せるよう収容する化粧料収容部３１に対し化粧料取出し蓋３を外すことなく化粧料収容部３１の側部から補給用化粧料１１０の補給を可能にするものである。同時に化粧料収容部３１の底部３５と化粧料取出し蓋３との一部間隔を狭く構成するものである。
【００１６】
すなわち化粧料収容部３１に補給する補給用化粧料１１０を充填すると共に側部に化粧料供給口７５を設けたリフィール容器１１と、リフィール容器１１を収納するリフィール容器収納部５１と、リフィール容器収納部５１と化粧料収容部３１との間を分離すると共に中央下部を開口し、リフィール容器１１の化粧料供給口７５を通って化粧料収容部３１内に補給用化粧料１１０を導入する導入口１３を有する第１の仕切り壁７１とを有し、化粧料取出し蓋３を粉状化粧料容器１より外すことなく化粧料収容部３１に補給用化粧料１１０を補給可能にするものである。
【００１７】
また化粧料収容部３１に補給する補給用化粧料１１０を充填すると共に上方から該補給用化粧料１１０を充填する上開口部５７を設けた粉補給部５３と、粉補給部５３の上開口部５７を閉蓋する閉止蓋５５と、粉補給部５３と前記化粧料収容部３１との間を分離すると共に中央下部を開口し、粉補給部５３の側面から化粧料収容部３１内に補給用化粧料１１０を導入する導入口１３を有する第２の仕切り壁７３とを有し、化粧料取出し蓋３を粉状化粧料容器１より外すことなく化粧料収容部３１に補給用化粧料１１０を補給可能にすることも良い。
【００１８】
さらに化粧料取出し蓋３を化粧料収容部３１の上縁部３３と略平行に設け、化粧料収容部３１の導入口１３近傍を除く底部３５を浅く形成した浅底部３７とし、化粧料取出し蓋３の小さな変形でも化粧料収容部３１内の粉状化粧料１００を取り出し可能にするものである。
【００１９】
また化粧料収容部３１の底部３５を化粧料収容部３１の上縁部３３と略平行に設け、化粧料収容部３１の導入口１３側に対向する側が低くなるよう化粧料取出し蓋３を傾斜させ、化粧料取出し蓋３の小さな変形でも化粧料収容部３１内の粉状化粧料１００を取り出し可能にするものである。
【００２０】
さらに第１の仕切り壁７１若しくは第２の仕切り壁７３に導入口１３を開閉するスライドシャッター７７を設けるものである。
【発明の効果】
【００２１】
本発明粉状化粧料容器にあっては次に記載する効果を奏する。
すなわち第１の仕切り壁７１若しくは第２の仕切り壁７３は化粧料収容部３１とリフィール容器収納部５１若しくは粉補給部５３との間を分離し、第１の仕切り壁７１若しくは第２の仕切り壁７３の中央下部に設けられた導入口１３を介し補給用化粧料１１０を化粧料収容部３１に補給する。そのため化粧料取出し蓋３を粉状化粧料容器１より外す必要はなく化粧料取出し蓋３に付着する粉状化粧料１００で周囲を汚すことはなくなる。
【００２２】
閉止蓋５５は粉補給部５３の上開口部５７を封口するもので粉補給部５３内の補給用化粧料１１０の漏出を防止する。また閉止蓋５５は補給用化粧料１１０を充填する際に取り外されるが閉止蓋５５の上面に指先で摘み引き上げられるようにすることで開蓋を容易にし、閉止蓋５５に付着する補給用化粧料１１０で指先さらには周辺を汚すことはなくなる。閉止蓋５５を上開口部５７に設けた粉補給部５３は補給用化粧料１１０を上方から直接充填可能にする。そのため補給用化粧料１１０の容器は袋詰めも可能になりより安価に補給用化粧料１１０の充填が可能になる。
【００２３】
リフィール容器１１はリフィール容器収納部５１に収納する際に化粧料供給口７５を封鎖する密封シールを剥がす必要があるが密封シールは廃棄されることから付着する補給用化粧料１１０が周囲を汚さない。またリフィール容器１１はリフィール容器収納部５１に収納されることにより外部応力から保護される。またリフィール容器１１の外観も容器本体必要最低限の意匠デザインがあれば充分で安価なリフィール容器１１の供給を可能にする。
【００２４】
また化粧料収容部３１に補給用化粧料１１０を補給するリフィール容器１１若しくは粉補給部５３は第１の仕切り壁７１若しくは第２の仕切り壁７３によって分離されていることから化粧料収容部３１内の粉状化粧料１００の残量に関係なく充填することができる。また替えは化粧料収容部３１の開口側から導入口１３の開閉を行うスライドシャッター７７の操作を行え、さらに同一面上から挿脱できるため替え操作も容易となる。
【発明を実施するための最良の形態】
【００２５】
図１は本発明粉状化粧料容器の第１の実施例説明図で図１（Ａ）は側断面図、図１（Ｂ）は上蓋９を除いた平面図を示す。図において粉状化粧料容器１は容器本体７と上蓋９とより構成されている。容器本体７には粉状化粧料１００を収容する化粧料収容部３１とリフィール容器収納部５１とが第１の仕切り壁７１で仕切られ設けられている。化粧料収容部３１には粉状化粧料１００が収納され、粉状化粧料１００の上方は化粧料取出し蓋３で被覆されている。化粧料取出し蓋３と上蓋９との間の空間には化粧用アプリケータであるパウダーパフ５が収納されている。
【００２６】
リフィール容器収納部５１は容器本体７にリフィール容器１１を収納固定するため凹部を形成している。そのためリフィール容器１１はリフィール容器収納部５１によって強度を保護されると共に周囲を見えないように収納される。したがって剛性は充填された補給用化粧料１１０で容易に変形しない程度であれば良く、外観も容器本体必要最低限の意匠デザインがあれば充分であり安価なリフィール容器１１の供給を可能にする。リフィール容器１１は補給用化粧料１１０を充填する容器で図１（Ａ）に示されるようにリフィール容器収納部５１の第１の仕切り壁７１反対側上端に設けられるスプリング５９でリフィール容器１１をリフィール容器収納部５１の第１の仕切り壁７１側に押圧固定される。
【００２７】
リフィール容器１１の側部下端には化粧料供給口７５が開口されている。化粧料供給口７５は流通段階では充填された補給用化粧料１１０の漏出を防止するため一般に簡素な密封シール等（図示せず）が貼付けられる。化粧料供給口７５には密封シールに代わり開閉可能な開閉扉（図示せず〕を設けることも良い。
【００２８】
第１の仕切り壁７１は化粧料収容部３１とリフィール容器収納部５１との間を分離し、仕切り壁７１の中央下部はリフィール容器１１の化粧料供給口７５に合わせて導入口１３が開口されている。導入口１３はリフィール容器１１内の補給用化粧料１１０を化粧料収容部３１に補給するための流路である。
【００２９】
第１の仕切り壁７１には導入口１３を閉鎖し補給用化粧料１１０の移動を防止するスライドシャッター７７が設けられている。スライドシャッター７７の上部には図１（Ｂ）に示されるように矢印Ａ方向に手動操作して一体にスライドするシャッター操作部７９が設けられ導入口１３を開閉する。尚、導入口１３の開閉度合いは手動で任意に設定する事も良い。
【００３０】
化粧料取出し蓋３は化粧料収容部３１の開口側に設けられて化粧料収容部３１の内外を仕切るもので化粧料収容部３１内の粉状化粧料１００の必要量を取り出すシート状の部材である。図１（Ａ）において化粧料取出し蓋３は化粧料収容部３１の底部３５に対して傾斜するよう張設し化粧料取出し蓋３と化粧料収容部３１の底部３５との間隔を狭めている。
【００３１】
化粧料取出し蓋３と化粧料収容部３１の底部３５との間隔を狭くすることは化粧料取出し蓋３を大きく変形させずに化粧料収容部３１の底部３５に接触できることになり、残り少なくなった粉状化粧料１００でも無駄なく有効に取り出すことができる。それは従来化粧料取出し蓋３が伸縮の小さな金属線を編んだ網体、伸縮の小さなプラスチックフィルムに複数の小孔体を穿設した多孔体等でも化粧料収容部３１の開口側に位置決め設定することも可能にするものである。
【００３２】
補給用化粧料１１０はリフィール容器１１の側面下端に形成された化粧料供給口７５から第１の仕切り壁７１に形成された導入口１３を通って化粧料収容部３１に供給される。化粧料収容部３１に収納されている粉状化粧料１００が減少した場合、シャッター操作部７９を矢印Ａ方向に操作しリフィール容器１１と化粧料収容部３１を通じる導入口１３を開口するようスライドシャッター７７をスライドする。リフィール容器１１内の補給用化粧料１１０はスライドシャッター７７で導入口１３の開口面積を調整することによって補給量を調整可能に化粧料収容部３１内に補給される。
【００３３】
スライドシャッター７７はリフィール容器１１の交換に際し導入口１３を閉鎖し僅か残る粉状化粧料１００のリフィール容器１１側への漏出を防止する。そこで空になったリフィール容器１１は化粧料供給口７５から僅か残留する補給用化粧料１１０が漏出しないようリフィール容器収納部５１より取り外され、補給用化粧料１１０を充満する新たなリフィール容器１１と容易に交換される。
【００３４】
リフィール容器１１は化粧料供給口７５を封止する密封シール等を剥がされリフィール容器収納部５１に収納される。リフィール容器収納部５１にリフィール容器１１を収納した後スライドシャッター７７を開口し補給用化粧料１１０の化粧料収容部３１内への移動を可能にする。したがって粉状化粧料１００の付着する化粧料取出し蓋３に触れることなく補給用化粧料１１０を補給することができ周囲は勿論手指を汚す事がない。
【００３５】
図２は本発明粉状化粧料容器の第２の実施例説明図を示す。図２はリフィール容器１１に代わり容器本体７に着脱可能な閉止蓋５５を有する粉補給部５３を設けたものである。図２において第１図と同一記号、名称は同一部材を示す。この粉補給部５３の上開口部５７には閉止蓋５５が着脱可能に嵌合して粉補給部５３内を閉鎖している。この粉補給部５３は、化粧料収容部３１との間を第２の仕切り壁７３により仕切られ、この第２の仕切り壁７３に粉補給部５３と化粧料収容部３１とをつなぐ導入口１３を設けている。更にこの第２の仕切り壁７３には、前記導入口１３を閉鎖するスライドシャッター７７を設けている。このスライドシャッター７７は、外部に突出したシャッター操作部７９が設けられ、導入口１３の開度を外部より操作可能になっている。
【００３６】
図２において化粧料収容部３１に収納される粉状化粧料１００が減少した場合、シャッター操作部７９を操作しスライドシャッター７７により導入口１３を閉鎖し僅か残る粉状化粧料１００の粉補給部５３側への漏出を防止する。そこで残り少なくなった補給用化粧料１１０を有する粉補給部５３の閉止蓋５５は取り外され、上開口部５７から新たな補給用化粧料１１０を充填される。補給用化粧料１１０を充填された粉補給部５３は再び閉蓋される。粉補給部５３を閉蓋した後、スライドシャッター７７を操作して挿入口１３は開口され補給用化粧料１１０の化粧料収容部３１内への移動を可能にする。したがって粉状化粧料１００の付着する化粧料取出し蓋３に触れることなく粉状化粧料１００を補給することができ周囲は勿論手指を汚す事がない。
【００３７】
図３は本発明粉状化粧料容器の第３の実施例説明図を示す。図３は化粧料取出し蓋３を化粧料収容部３１の上縁部３３と略平行に設け、化粧料収容部３１の導入口１３近傍を除く底部３５の一部を浅く形成した浅底部３７としたものである。図３において第１図と同一記号、名称は同一部材を示す。図３において浅底部３７は導入口１３の反対側が浅くなるように傾斜して形成されて、化粧料取出し蓋３と化粧料収容部３１の底部３５との間隔を狭めている。化粧料取出し蓋３と化粧料収容部３１の浅底部３７との間隔を狭くすることは図１、図２同様化粧料取出し蓋３を大きく変形させずに化粧料収容部３１の浅底部３７に接触でき、残り少なくなった粉状化粧料１００でも無駄なく有効に取り出すことができる。
【００３８】
尚化粧料取出し蓋３は金属、プラスチック線を網状に編んだ網体、プラスチックフィルム、ゴムシートに複数の小孔を穿設した多孔体は勿論金属、プラスチック線をスダレシート状に配し形成したスダレシート、あるいはさらにこれらに植毛したものを使用することも良いものである。植毛したスダレシートは隣接するモール線に植立される毛羽同士が互いに重なり合うように配列されると共にスダレ状に構成され、化粧料収容部３１から粉状化粧料１００が不用意に漏出することを防ぐ。
【００３９】
特にスダレシートを構成する複数のモール線はパウダーパフ５等の化粧用アプリケータの摺接されることにより捩じられ粉状化粧料１００の化粧料取出し蓋３上へ掻き上げる。そのため大きな圧力をかけなくとも粉状化粧料１００の取り出しが可能になり、粉状化粧料１００を押し固めたり、パウダーパフ５に染み込んだ汗、他の液状化粧料等が押し出されて粉状化粧料１００を変質させたりする事がなくなる。
【００４０】
ここでスダレシートの毛羽とはモール糸（図示せず）を構成する花糸を切って形成されたものあるいはフロッキー処理されたパイル糸を云うもので毛羽の伸長方向はモール線材の伸長方向に直交する。またモール線材とは一般にモール線を構成する芯線であり、プラスチック線材、金属線材等からなるモノフィラメントあるいはマルチフィラメントであるが、本発明では平行なスリットを形成した弾性ゴムシート、プラスチックシートを含むものである。
【００４１】
以上説明のとおり、本発明粉状化粧料容器にあっては発明の効果の欄に記載する効果を有する。なお本発明について図面に示した特定の実施の形態をもって説明してきたが、これらの実施の形態に限定されるものではない。たとえば図１、図３に示したスプリング５９については図２に示すようなＯリングやリフィール容器１１の側面とリフィール容器収納部５１の内面に互いに係合する突部、凹部を形成することも良い。また化粧料取出し蓋３に用いられる多孔体の孔にはスリットも含む。さらに化粧料取出し蓋３にスダレシート状を用いる場合、スダレシート状を構成するフィラメントの断面形状等は拠り方の異なる各種拠り線、各種断面形状の単線は勿論、これらに植毛し実現されるものは全て含まれること言うまでもない。
【図面の簡単な説明】
【００４２】
【図１】本発明粉状化粧料容器の第１の実施例説明図である。
【図２】本発明粉状化粧料容器の第２の実施例説明図である。
【図３】本発明粉状化粧料容器の第３の実施例説明図である。
【符号の説明】
【００４３】
１・・・・粉状化粧料容器
３・・・・化粧料取出し蓋
５・・・・パウダーパフ
７・・・・容器本体
９・・・・上蓋
１１・・・リフィール容器
１３・・・導入口
３１・・・化粧料収容部
３３・・・上縁部
３５・・・底部
３７・・・浅底部
５１・・・リフィール容器収納部
５３・・・粉補給部
５５・・・閉止蓋
５７・・・上開口部
５９・・・スプリング
７１・・・第１の仕切り壁
７３・・・第２の仕切り壁
７５・・・化粧料供給口
７７・・・スライドシャッター
７９・・・シャッター操作部
１００・・粉状化粧料
１１０・・補給用化粧料
【図１】
0005288232.tif 000002
【図２】
0005288232.tif 000003
【図３】
0005288232.tif 000004